(57)【要約】【課題】本発明は自己維持テーブルクロスを開示した。【解決手段】テーブルを含み、前記テーブルの中には左右端壁が外部空間に連通している収集チャンバが設置され、前記収集チャンバの中には駆動機構が設置され、前記駆動機構は駆動モータと、プラグ及びコンセントを含み、前記プラグが前記コンセントに挿入されるときに前記駆動モータを駆動し作動させることができ、それにより装置全体を作動連動させ、前記駆動機構はまた扇状歯車と、移動歯車及び移動ブロックを含み、前記駆動機構の右側にはメンテナンス機構が設置され、前記メンテナンス機構と前記駆動機構とが水平ベルトにより摩擦するように伝動される。【選択図】図１
2020175138.tif 000002
【特許請求の範囲】
【請求項１】
正面視で、テーブルを含み、前記テーブルの中には左右端壁が外部空間に連通している収集チャンバが設置され、前記収集チャンバの中には駆動機構が設置され、前記駆動機構は駆動モータと、プラグ及びコンセントを含み、前記プラグが前記コンセントに挿入されるときに前記駆動モータを駆動し作動させることができ、それにより装置全体を作動連動させ、前記駆動機構はまた扇状歯車と、移動歯車及び移動ブロックを含み、前記駆動機構の右側にはメンテナンス機構が設置され、前記メンテナンス機構と前記駆動機構とが水平ベルトにより摩擦するように伝動され、前記メンテナンス機構の中が斜めベルトにより摩擦するように伝動され、前記メンテナンス機構はカムを含み、前記カムが回転し前記プラグを前記コンセントから押し出すことができ、前記駆動機構の左側には布交換機構が設置され、前記布交換機構は中空歯車と、三角ブロック及び制限溝を含み、前記扇状歯車が前記中空歯車と噛合でき、前記三角ブロックが前記制限溝から離脱するとき前記移動歯車を連動させて右に運動させて前記扇状歯車の噛合から離脱させ、前記布交換機構はまた送り輪と、伝送輪及びテーブルクロスを含み、前記送り輪と前記伝動輪との回転により前記テーブルクロスを運動連動させることができ、前記三角ブロックが前記制限溝の中に位置するとき、前記扇状歯車が前記送り輪を連動させ間欠的に回転させることができることを特徴とする自己維持テーブルクロス。
【請求項２】
前記駆動機構は扇状歯車を含み、前記テーブルの下端面には支持板が固定的に連結され、前記支持板の後端面には駆動モータが固定的に連結され、前記駆動モータの後端面には駆動軸が回転できるように連結され、前記駆動軸には扇状歯車が固定的に連結され、前記支持板の後端面の中には二つの磁性溝が左右に対称的に設置され、前記磁性溝の前端壁には電気磁石が固定的に連結され、前記磁性溝の中には鉄ブロックがスライドできるように連結され、前記鉄ブロックの後端面には磁性ロッドが固定的に連結され、前記磁性ロッドの後端が前記磁性溝の後端壁を貫通し、且つ外部空間に位置しており、前記二つの磁性ロッドの後端には共にプラグが固定的に連結され、前記プラグと前記駆動モータとが電線により連通しており、前記二つの磁性ロッドの間にはコンセントが設置され、前記コンセントと前記支持板の後端面とが固定的に連結され、前記テーブルの中には下端壁が外部空間に連通している移動溝が設置され、前記移動溝の左端壁には移動ばねが固定的に連結され、前記移動ばねの右端には前記移動溝とスライドできるように連結される移動ブロックが固定的に連結され、前記移動ブロックの下端が前記移動溝の下端壁を貫通し、且つ外部空間に位置しており、前記外部空間のうち移動ブロックの前端面には移動軸が回転できるように連結され、前記移動軸には前記扇状歯車と噛合する移動歯車が固定的に連結され、前記移動歯車の前側には前記移動軸と固定的に連結される移動プーリーが設置されることを特徴とする請求項１に記載の自己維持テーブルクロス。
【請求項３】
前記布交換機構は中空歯車を含み、前記移動溝の左端壁の中には下端壁が外部空間に連通している動き溝が設置され、前記動き溝の中には動きブロックがスライドできるように連結され、前記動きブロックの下端が前記動き溝の下端壁を貫通し、且つ外部空間の中に位置しており、前記外部空間のうち動きブロックの前端面には二つの方形ブロックが上下対称的に固定的に連結され、前記二つの方形ブロックの間には調節軸が回転できるように連結され、前記調節軸には斜めロッドが固定的に連結され、前記移動ブロックの左端面には二つの薄い板が上下に対称的に固定的に連結され、前記二つの薄い板の間には回転軸が回転できるように連結され、前記回転軸と前記斜めロッドの右端とが固定的に連結され、前記駆動モータの左側には前記支持板の後端面と回転できるように連結される制限軸が設置され、前記制限軸には中空歯車が回転できるように連結され、前記中空歯車の後側には前記制限軸と固定的に連結される両方向歯車が設置され、前記中空歯車の中には環状溝が設置され、前記環状溝の上端壁の中には下端壁が前記環状溝と連通している制限溝が設置され、前記環状溝のうち制限軸の上端面の中には上端壁が前記環状溝と連通している伸縮溝が設置され、前記伸縮溝の下端壁には伸縮ばねが固定的に連結され、前記伸縮ばねの上端には前記伸縮溝とスライドできるように連結される三角ブロックが固定的に連結され、前記三角ブロックの上端が前記伸縮溝の上端壁と前記制限溝の下端壁を貫通し、且つ前記制限溝の中に位置しており、前記制限軸の後端面の中には後端壁が外部空間と連通している方形溝が設置され、前記方形溝の左右端壁の中には前記方形溝の端壁に近接しており、且つ前記方形溝を連通している圧力溝が対称的に設置され、前記右側の圧力溝の前端壁には圧力ばねが固定的に連結され、前記圧力ばねの後端には前記圧力溝とスライドできるように連結される圧力ブロックが固定的に連結され、前記圧力ブロックの左端が前記圧力溝の左端壁を貫通し、且つ前記方形溝の中に位置しており、前記二つの圧力ブロックの間には共に引き紐ブロックが固定的に連結され、前記引き紐ブロックの前端と前記三角ブロックの下端とがロープにより固定的に連結され、前記テーブルの下端面には定位板が固定的に連結され、前記定位板の前端面には送り軸が回転できるように連結され、前記送り軸には送り輪が固定的に連結され、前記送り輪の前側には前記送り軸と固定的に連結される送り歯車が設置され、前記送り歯車と前記中空歯車とが噛合しており、前記テーブルの下端面の右側には伝送板が固定的に連結され、前記伝送板の前端面には伝送軸が回転できるように連結され、前記伝送軸には伝送輪が固定的に連結され、前記テーブルにはテーブルクロスが設置され、前記テーブルクロスが前記伝送輪により前記送り輪と伝動されることを特徴とする請求項１に記載の自己維持テーブルクロス。
【請求項４】
前記メンテナンス機構はメンテナンス輪を含み、前記テーブルの下端面の中心には中空ブロックが固定的に連結され、前記中空ブロックの中には左右端壁が外部空間と連通している収集チャンバが設置され、前記中空ブロックの下端面にはテーブル台座が固定的に連結され、前記収集チャンバの後端壁にはプーリー軸が回転できるように連結され、前記プーリー軸には出力プーリーが固定的に連結され、前記出力プーリーと前記移動プーリーとが水平ベルトにより摩擦するように伝動され、前記出力プーリーの前側には前記プーリー軸と固定的に連結されるメンテナンス輪が設置され、前記収集チャンバの上端壁の中には下端壁が前記収集チャンバと連通している昇降溝が設置され、前記昇降溝の上端壁には昇降ばねが固定的に連結され、前記昇降ばねの下端には前記昇降溝とスライドできるように連結される昇降ロッドが固定的に連結され、前記昇降ロッドの下端が前記昇降溝の下端壁を貫通しており、且つ前記収集チャンバの中に位置しており、前記昇降ロッドの下端には横ロッドが固定的に連結され、前記横ロッドの左側には前記収集チャンバの後端壁と回転できるように連結される動力軸が設置され、前記動力軸には右端が前記横ロッドの左端と噛合する昇降歯車が固定的に連結され、前記昇降歯車の後側には前記動力軸と固定的に連結される昇降プーリーが設置され、前記磁性ロッドの右側には前記支持板の後端面と回転できるように連結される復帰軸が設置され、前記復帰軸にはカムが固定的に連結され、前記復帰軸の後端には復帰プーリーが固定的に連結され、前記復帰プーリーと前記昇降プーリーとが斜めベルトにより摩擦するように伝動されることを特徴とする請求項１に記載の自己維持テーブルクロス。
【発明の詳細な説明】
【技術分野】
【０００１】
本発明はテーブルクロス分野を取り上げて、具体的には自己維持テーブルクロスである。
【背景技術】
【０００２】
テーブルクロスはテーブルの表面を保護し、汚れたり傷つけたりすることを防止するテーブル表面保護ツールであり、またテーブルクロスは飾りの作用も持ち、既存のテーブルクロスのメンテナンスは人工でメンテナンスする必要があり、交換も洗浄も不便である。
【先行技術文献】
【特許文献】
【０００３】
【特許文献１】中国特許出願公開第１０７００７０９５号明細書
【発明の概要】
【発明が解決しようとする課題】
【０００４】
本発明の目的は自己維持テーブルクロスを提供し、それは上記の現在の技術中の問題を解決できる。
【課題を解決するための手段】
【０００５】
上記の課題を解決するため、本発明は以下の技術プランを採用する：本発明の自己維持テーブルクロスは、テーブルを含み、前記テーブルの中には左右端壁が外部空間に連通している収集チャンバが設置され、前記収集チャンバの中には駆動機構が設置され、前記駆動機構は駆動モータと、プラグ及びコンセントを含み、前記プラグが前記コンセントに挿入されるときに前記駆動モータを駆動し作動させることができ、それにより装置全体を作動連動させ、前記駆動機構はまた扇状歯車と、移動歯車及び移動ブロックを含み、前記駆動機構の右側にはメンテナンス機構が設置され、前記メンテナンス機構と前記駆動機構とが水平ベルトにより摩擦するように伝動され、前記メンテナンス機構の中が斜めベルトにより摩擦するように伝動され、前記メンテナンス機構はカムを含み、前記カムが回転し前記プラグを前記コンセントから押し出すことができ、前記駆動機構の左側には布交換機構が設置され、前記布交換機構は中空歯車と、三角ブロック及び制限溝を含み、前記扇状歯車が前記中空歯車と噛合でき、前記三角ブロックが前記制限溝から離脱するとき前記移動歯車を連動させて右に運動させて前記扇状歯車の噛合から離脱させ、前記布交換機構はまた送り輪と、伝送輪及びテーブルクロスを含み、前記送り輪と前記伝動輪との回転により前記テーブルクロスを運動連動させることができ、前記三角ブロックが前記制限溝の中に位置するとき、前記扇状歯車が前記送り輪を連動させ間欠的に回転させることができる。
【０００６】
優選的には、前記駆動機構は扇状歯車を含み、前記テーブルの下端面には支持板が固定的に連結され、前記支持板の後端面には駆動モータが固定的に連結され、前記駆動モータの後端面には駆動軸が回転できるように連結され、前記駆動軸には扇状歯車が固定的に連結され、前記支持板の後端面の中には二つの磁性溝が左右に対称的に設置され、前記磁性溝の前端壁には電気磁石が固定的に連結され、前記磁性溝の中には鉄ブロックがスライドできるように連結され、前記鉄ブロックの後端面には磁性ロッドが固定的に連結され、前記磁性ロッドの後端が前記磁性溝の後端壁を貫通し、且つ外部空間に位置しており、前記二つの磁性ロッドの後端には共にプラグが固定的に連結され、前記プラグと前記駆動モータとが電線により連通しており、前記二つの磁性ロッドの間にはコンセントが設置され、前記コンセントと前記支持板の後端面とが固定的に連結され、前記テーブルの中には下端壁が外部空間に連通している移動溝が設置され、前記移動溝の左端壁には移動ばねが固定的に連結され、前記移動ばねの右端には前記移動溝とスライドできるように連結される移動ブロックが固定的に連結され、前記移動ブロックの下端が前記移動溝の下端壁を貫通し、且つ外部空間に位置しており、前記外部空間のうち移動ブロックの前端面には移動軸が回転できるように連結され、前記移動軸には前記扇状歯車と噛合する移動歯車が固定的に連結され、前記移動歯車の前側には前記移動軸と固定的に連結される移動プーリーが設置される。
【０００７】
優選的には、前記布交換機構は中空歯車を含み、前記移動溝の左端壁の中には下端壁が外部空間に連通している動き溝が設置され、前記動き溝の中には動きブロックがスライドできるように連結され、前記動きブロックの下端が前記動き溝の下端壁を貫通し、且つ外部空間の中に位置しており、前記外部空間のうち動きブロックの前端面には二つの方形ブロックが上下対称的に固定的に連結され、前記二つの方形ブロックの間には調節軸が回転できるように連結され、前記調節軸には斜めロッドが固定的に連結され、前記移動ブロックの左端面には二つの薄い板が上下に対称的に固定的に連結され、前記二つの薄い板の間には回転軸が回転できるように連結され、前記回転軸と前記斜めロッドの右端とが固定的に連結され、前記駆動モータの左側には前記支持板の後端面と回転できるように連結される制限軸が設置され、前記制限軸には中空歯車が回転できるように連結され、前記中空歯車の後側には前記制限軸と固定的に連結される両方向歯車が設置され、前記中空歯車の中には環状溝が設置され、前記環状溝の上端壁の中には下端壁が前記環状溝と連通している制限溝が設置され、前記環状溝のうち制限軸の上端面の中には上端壁が前記環状溝と連通している伸縮溝が設置され、前記伸縮溝の下端壁には伸縮ばねが固定的に連結され、前記伸縮ばねの上端には前記伸縮溝とスライドできるように連結される三角ブロックが固定的に連結され、前記三角ブロックの上端が前記伸縮溝の上端壁と前記制限溝の下端壁を貫通し、且つ前記制限溝の中に位置しており、前記制限軸の後端面の中には後端壁が外部空間と連通している方形溝が設置され、前記方形溝の左右端壁の中には前記方形溝の端壁に近接しており、且つ前記方形溝を連通している圧力溝が対称的に設置され、前記右側の圧力溝の前端壁には圧力ばねが固定的に連結され、前記圧力ばねの後端には前記圧力溝とスライドできるように連結される圧力ブロックが固定的に連結され、前記圧力ブロックの左端が前記圧力溝の左端壁を貫通し、且つ前記方形溝の中に位置しており、前記二つの圧力ブロックの間には共に引き紐ブロックが固定的に連結され、前記引き紐ブロックの前端と前記三角ブロックの下端とがロープにより固定的に連結され、前記テーブルの下端面には定位板が固定的に連結され、前記定位板の前端面には送り軸が回転できるように連結され、前記送り軸には送り輪が固定的に連結され、前記送り輪の前側には前記送り軸と固定的に連結される送り歯車が設置され、前記送り歯車と前記中空歯車とが噛合しており、前記テーブルの下端面の右側には伝送板が固定的に連結され、前記伝送板の前端面には伝送軸が回転できるように連結され、前記伝送軸には伝送輪が固定的に連結され、前記テーブルにはテーブルクロスが設置され、前記テーブルクロスが前記伝送輪により前記送り輪と伝動される。
【０００８】
優選的には、前記メンテナンス機構はメンテナンス輪を含み、前記テーブルの下端面の中心には中空ブロックが固定的に連結され、前記中空ブロックの中には左右端壁が外部空間と連通している収集チャンバが設置され、前記中空ブロックの下端面にはテーブル台座が固定的に連結され、前記収集チャンバの後端壁にはプーリー軸が回転できるように連結され、前記プーリー軸には出力プーリーが固定的に連結され、前記出力プーリーと前記移動プーリーとが水平ベルトにより摩擦するように伝動され、前記出力プーリーの前側には前記プーリー軸と固定的に連結されるメンテナンス輪が設置され、前記収集チャンバの上端壁の中には下端壁が前記収集チャンバと連通している昇降溝が設置され、前記昇降溝の上端壁には昇降ばねが固定的に連結され、前記昇降ばねの下端には前記昇降溝とスライドできるように連結される昇降ロッドが固定的に連結され、前記昇降ロッドの下端が前記昇降溝の下端壁を貫通しており、且つ前記収集チャンバの中に位置しており、前記昇降ロッドの下端には横ロッドが固定的に連結され、前記横ロッドの左側には前記収集チャンバの後端壁と回転できるように連結される動力軸が設置され、前記動力軸には右端が前記横ロッドの左端と噛合する昇降歯車が固定的に連結され、前記昇降歯車の後側には前記動力軸と固定的に連結される昇降プーリーが設置され、前記磁性ロッドの右側には前記支持板の後端面と回転できるように連結される復帰軸が設置され、前記復帰軸にはカムが固定的に連結され、前記復帰軸の後端には復帰プーリーが固定的に連結され、前記復帰プーリーと前記昇降プーリーとが斜めベルトにより摩擦するように伝動される。
【発明の効果】
【０００９】
本発明の有益的な効果は：本発明装置は環状ベルト式のテーブルクロスを設計し、両面使用できるテーブルクロスを持ち、ユーザーが交換しようとするとき自動的に汚れた面のテーブルクロスをきれいな面に交換でき、快速にテーブルクロスの交換を実現でき、そのあとの作業の展開に有利であり、また汚れた面を自動的に洗浄してメンテナンスし、次回の使用が便利になり、テーブルの表面に物がある場合に装置のスイッチを押してもテーブルを交換できず、誤操作でテーブル表面にあるものを壊すことを避け、装置は一つの動力源しか使用しなく、自動化程度が高く、使用が簡単で便利である。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の自己維持テーブルクロスの全体全断面の正面構造概略図
【図２】図２は本発明の自己維持テーブルクロスの駆動軸の上面断面構造概略図
【図３】図３は本発明の自己維持テーブルクロスの移動ブロックの正面断面構造概略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１〜３を参考し、本発明の自己維持テーブルクロスは、テーブル１１を含み、前記テーブル１１の中には左右端壁が外部空間に連通している収集チャンバ３３が設置され、前記収集チャンバ３３の中には駆動機構８０が設置され、前記駆動機構８０は駆動モータ５６と、プラグ６４及びコンセント６８を含み、前記プラグ６４が前記コンセント６８に挿入されるときに前記駆動モータ５６を駆動し作動させることができ、それにより装置全体を作動連動させ、前記駆動機構８０はまた扇状歯車４２と、移動歯車４１及び移動ブロック２１を含み、前記駆動機構８０の右側にはメンテナンス機構８２が設置され、前記メンテナンス機構８２と前記駆動機構８０とが水平ベルト２２により摩擦するように伝動され、前記メンテナンス機構８２の中が斜めベルト２３により摩擦するように伝動され、前記メンテナンス機構８２はカム６６を含み、前記カム６６が回転し前記プラグ６４を前記コンセント６８から押し出すことができ、前記駆動機構８０の左側には布交換機構８１が設置され、前記布交換機構８１は中空歯車４５と、三角ブロック５３及び制限溝５４を含み、前記扇状歯車４２が前記中空歯車４５と噛合でき、前記三角ブロック５３が前記制限溝５４から離脱するとき前記移動歯車４１を連動させて右に運動させて前記扇状歯車４２の噛合から離脱させ、前記布交換機構８１はまた送り輪４９と、伝送輪３０及びテーブルクロス１０を含み、前記送り輪４９と前記伝動輪３０との回転により前記テーブルクロス１０を運動連動させることができ、前記三角ブロック５３が前記制限溝５４の中に位置するとき、前記扇状歯車４２が前記送り輪４９を連動させ間欠的に回転させることができる。
【００１５】
有益的には、前記駆動機構８０は扇状歯車４２を含み、前記テーブル１１の下端面には支持板６９が固定的に連結され、前記支持板６９の後端面には駆動モータ５６が固定的に連結され、前記駆動モータ５６の後端面には駆動軸１８が回転できるように連結され、前記駆動軸１８には扇状歯車４２が固定的に連結され、前記支持板６９の後端面の中には二つの磁性溝７３が左右に対称的に設置され、前記磁性溝７３の前端壁には電気磁石７１が固定的に連結され、前記磁性溝７３の中には鉄ブロック７０がスライドできるように連結され、前記鉄ブロック７０の後端面には磁性ロッド６７が固定的に連結され、前記磁性ロッド６７の後端が前記磁性溝７３の後端壁を貫通し、且つ外部空間に位置しており、前記二つの磁性ロッド６７の後端には共にプラグ６４が固定的に連結され、前記プラグ６４と前記駆動モータ５６とが電線６３により連通しており、前記二つの磁性ロッド６７の間にはコンセント６８が設置され、前記コンセント６８と前記支持板６９の後端面とが固定的に連結され、前記テーブル１１の中には下端壁が外部空間に連通している移動溝７５が設置され、前記移動溝７５の左端壁には移動ばね７４が固定的に連結され、前記移動ばね７４の右端には前記移動溝７５とスライドできるように連結される移動ブロック２１が固定的に連結され、前記移動ブロック２１の下端が前記移動溝７５の下端壁を貫通し、且つ外部空間に位置しており、前記外部空間のうち移動ブロック２１の前端面には移動軸３９が回転できるように連結され、前記移動軸３９には前記扇状歯車４２と噛合する移動歯車４１が固定的に連結され、前記移動歯車４１の前側には前記移動軸３９と固定的に連結される移動プーリー４０が設置される。
【００１６】
有益的には、前記布交換機構８１は中空歯車４５を含み、前記移動溝７５の左端壁の中には下端壁が外部空間に連通している動き溝１３が設置され、前記動き溝１３の中には動きブロック１２がスライドできるように連結され、前記動きブロック１２の下端が前記動き溝１３の下端壁を貫通し、且つ外部空間の中に位置しており、前記外部空間のうち動きブロック１２の前端面には二つの方形ブロック１６が上下対称的に固定的に連結され、前記二つの方形ブロック１６の間には調節軸１４が回転できるように連結され、前記調節軸１４には斜めロッド１７が固定的に連結され、前記移動ブロック２１の左端面には二つの薄い板２０が上下に対称的に固定的に連結され、前記二つの薄い板２０の間には回転軸１９が回転できるように連結され、前記回転軸１９と前記斜めロッド１７の右端とが固定的に連結され、前記駆動モータ５６の左側には前記支持板６９の後端面と回転できるように連結される制限軸４８が設置され、前記制限軸４８には中空歯車４５が回転できるように連結され、前記中空歯車４５の後側には前記制限軸４８と固定的に連結される両方向歯車７２が設置され、前記中空歯車４５の中には環状溝４６が設置され、前記環状溝４６の上端壁の中には下端壁が前記環状溝４６と連通している制限溝５４が設置され、前記環状溝４６のうち制限軸４８の上端面の中には上端壁が前記環状溝４６と連通している伸縮溝４３が設置され、前記伸縮溝４３の下端壁には伸縮ばね４７が固定的に連結され、前記伸縮ばね４７の上端には前記伸縮溝４３とスライドできるように連結される三角ブロック５３が固定的に連結され、前記三角ブロック５３の上端が前記伸縮溝４３の上端壁と前記制限溝５４の下端壁を貫通し、且つ前記制限溝５４の中に位置しており、前記制限軸４８の後端面の中には後端壁が外部空間と連通している方形溝５８が設置され、前記方形溝５８の左右端壁の中には前記方形溝５８の端壁に近接しており、且つ前記方形溝５８を連通している圧力溝６０が対称的に設置され、前記右側の圧力溝６０の前端壁には圧力ばね６２が固定的に連結され、前記圧力ばね６２の後端には前記圧力溝６０とスライドできるように連結される圧力ブロック６１が固定的に連結され、前記圧力ブロック６１の左端が前記圧力溝６０の左端壁を貫通し、且つ前記方形溝５８の中に位置しており、前記二つの圧力ブロック６１の間には共に引き紐ブロック５７が固定的に連結され、前記引き紐ブロック５７の前端と前記三角ブロック５３の下端とがロープ５１により固定的に連結され、前記テーブル１１の下端面には定位板５５が固定的に連結され、前記定位板５５の前端面には送り軸５２が回転できるように連結され、前記送り軸５２には送り輪４９が固定的に連結され、前記送り輪４９の前側には前記送り軸５２と固定的に連結される送り歯車５０が設置され、前記送り歯車５０と前記中空歯車４５とが噛合しており、前記テーブル１１の下端面の右側には伝送板３１が固定的に連結され、前記伝送板３１の前端面には伝送軸３２が回転できるように連結され、前記伝送軸３２には伝送輪３０が固定的に連結され、前記テーブル１１にはテーブルクロス１０が設置され、前記テーブルクロス１０が前記伝送輪３０により前記送り輪４９と伝動される。
【００１７】
有益的には、前記メンテナンス機構８２はメンテナンス輪３８を含み、前記テーブル１１の下端面の中心には中空ブロック３４が固定的に連結され、前記中空ブロック３４の中には左右端壁が外部空間と連通している収集チャンバ３３が設置され、前記中空ブロック３４の下端面にはテーブル台座３６が固定的に連結され、前記収集チャンバ３３の後端壁にはプーリー軸３７が回転できるように連結され、前記プーリー軸３７には出力プーリー３５が固定的に連結され、前記出力プーリー３５と前記移動プーリー４０とが水平ベルト２２により摩擦するように伝動され、前記出力プーリー３５の前側には前記プーリー軸３７と固定的に連結されるメンテナンス輪３８が設置され、前記収集チャンバ３３の上端壁の中には下端壁が前記収集チャンバ３３と連通している昇降溝２６が設置され、前記昇降溝２６の上端壁には昇降ばね２７が固定的に連結され、前記昇降ばね２７の下端には前記昇降溝２６とスライドできるように連結される昇降ロッド２８が固定的に連結され、前記昇降ロッド２８の下端が前記昇降溝２６の下端壁を貫通しており、且つ前記収集チャンバ３３の中に位置しており、前記昇降ロッド２８の下端には横ロッド２９が固定的に連結され、前記横ロッド２９の左側には前記収集チャンバ３３の後端壁と回転できるように連結される動力軸２４が設置され、前記動力軸２４には右端が前記横ロッド２９の左端と噛合する昇降歯車２５が固定的に連結され、前記昇降歯車２５の後側には前記動力軸２４と固定的に連結される昇降プーリー１５が設置され、前記磁性ロッド６７の右側には前記支持板６９の後端面と回転できるように連結される復帰軸４４が設置され、前記復帰軸４４にはカム６６が固定的に連結され、前記復帰軸４４の後端には復帰プーリー６５が固定的に連結され、前記復帰プーリー６５と前記昇降プーリー１５とが斜めベルト２３により摩擦するように伝動される。
【００１８】
下記に、図１〜３と上記記述した本出願の自己維持テーブルクロスの具体的な構成を参考し、本出願の自己維持テーブルクロスの使用方法を詳しく紹介する：
【００１９】
使用するとき、前記電気磁石７１が通電され磁性を生成し、前記鉄ブロック７０を吸引し前に運動させ、それにより前記磁性ロッド６７を前に運動連動させ、前記磁性ロッド６７が前記プラグ６４を前に運動連動させ、前記プラグ６４を前記コンセント６８に挿入し、前記電線６３の伝導により、前記駆動モータ５６を通電させ始動し、それにより前記駆動軸１８を回転連動させ、前記駆動軸１８が前記扇状歯車４２を回転連動させ、前記扇状歯車４２と前記両方向歯車７２との噛合を通して、前記両方向歯車７２を回転連動させ、それにより前記制限軸４８を回転連動させ、前記制限軸４８が前記三角ブロック５３を回転連動させ、前記テーブルクロス１０にものがある場合、前記テーブルクロス１０が運動できなく、前記三角ブロック５３が前記制限溝５４の中から離脱し、前記伸縮ばね４７が圧縮され、前記ロープ５１が放され、前記圧力ばね６２が後に復帰し、前記引き紐ブロック５７をプッシュし後に運動させ、それにより前記動きブロック１２を後ろに運動連動させ、前記動きブロック１２が前記斜めロッド１７を揺動連動させ、それにより前記移動ブロック２１をプッシュし右に運動させ、前記移動ブロック２１が前記移動歯車４１を右に運動連動させて前記扇状歯車４２の噛合から離脱させ、前記テーブルクロス１０にものがない場合、前記三角ブロック５３と前記制限溝５４の固定により、前記中空歯車４５を回転連動させ、前記中空歯車４５と前記送り歯車５０との噛合により、前記送り輪４９を回転連動させ、それにより前記テーブルクロス１０を運動連動させ、前記扇状歯車４２が前記移動歯車４１と噛合するまで回転するとき、前記移動歯車４１を回転連動させ、それにより前記移動軸３９を回転連動させ、前記移動軸が前記移動プーリー４０を回転連動させ、前記水平ベルト２２の摩擦伝動により、前記出力プーリー３５を回転連動させ、前記出力プーリー３５が前記プーリー軸３７を回転連動させ、それにより前記メンテナンス輪３８を回転連動させ、前記メンテナンス輪３８が回転し前記テーブルクロス１０の表面にある粉塵と固体粒子を除去し、前記メンテナンス輪３８が回転し前記横軸２９をプッシュし上昇させ、前記横軸２９と前記昇降歯車２５との噛合により、前記昇降歯車２５を回転連動させ、前記昇降歯車２５が前記動力軸２４を回転連動させ、それにより前記昇降プーリー１５を回転連動させ、前記斜めベルト２３の摩擦伝動により、前記復帰プーリー６５を回転連動させ、それにより前記復帰軸４４を回転連動させ、前記復帰軸４４が前記カム６６を回転連動させ、前記プラグ６４を前記コンセント６８から押し出し、前記駆動モータ５６の電気を切断し、それにより一つの面のテーブルクロスの交換を完成し、使用されたテーブルクロスの面を洗浄する。
【００２０】
本発明の有益的な効果は：本発明装置は環状ベルト式のテーブルクロスを設計し、両面使用できるテーブルクロスを持ち、ユーザーが交換しようとするとき自動的に汚れた面のテーブルクロスをきれいな面に交換でき、快速にテーブルクロスの交換を実現でき、そのあとの作業の展開に有利であり、また汚れた面を自動的に洗浄してメンテナンスし、次回の使用が便利になり、テーブルの表面に物がある場合に装置のスイッチを押してもテーブルを交換できず、誤操作でテーブル表面にあるものを壊すことを避け、装置は一つの動力源しか使用しなく、自動化程度が高く、使用が簡単で便利である。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020175138.tif 000003
【図２】
2020175138.tif 000004
【図３】
2020175138.tif 000005
【手続補正書】
【提出日】令和2年8月25日(2020.8.25)
【手続補正１】
【補正対象書類名】特許請求の範囲
【補正対象項目名】全文
【補正方法】変更
【補正の内容】
【特許請求の範囲】
【請求項１】
正面視で、テーブルを含み、収集チャンバが前記テーブルを左右に貫通しており、前記収集チャンバの中には駆動機構が設置され、前記駆動機構は駆動モータと、プラグ及びコンセントを含み、前記プラグが前記コンセントに挿入されるときに前記駆動モータを駆動し作動させることができ、それにより装置全体を作動連動させ、前記駆動機構はまた扇状歯車と、移動歯車及び移動ブロックを含み、前記駆動機構の右側にはメンテナンス機構が設置され、前記メンテナンス機構と前記駆動機構とが水平ベルトにより摩擦するように伝動され、前記メンテナンス機構に含まれた機械部品が斜めベルトにより摩擦するように伝動され、前記メンテナンス機構はカムを含み、前記カムが回転し前記プラグを前記コンセントから押し出すことができ、前記駆動機構の左側には布交換機構が設置され、前記布交換機構は中空歯車と、三角ブロック及び制限溝を含み、前記扇状歯車が前記中空歯車と噛合でき、前記三角ブロックが前記制限溝から離脱するとき前記移動歯車を連動させて右に運動させて前記扇状歯車の噛合から離脱させ、前記布交換機構はまた送り輪と、伝送輪及びテーブルクロスを含み、前記送り輪と前記伝送輪との回転により前記テーブルクロスを運動連動させることができ、前記三角ブロックが前記制限溝の中に位置するとき、前記扇状歯車が前記送り輪を連動させ間欠的に回転させることができ、
前記駆動機構は扇状歯車を含み、前記テーブルの下端面には支持板が固定的に連結され、前記支持板の後端面には駆動モータが固定的に連結され、前記駆動モータの後端面には駆動軸が回転できるように連結され、前記駆動軸には扇状歯車が固定的に連結され、前記支持板の後端面の中には二つの磁性溝が左右に対称的に設置され、前記磁性溝の前端壁には電気磁石が固定的に連結され、前記磁性溝の中には鉄ブロックがスライドできるように連結され、前記鉄ブロックの後端面には磁性ロッドが固定的に連結され、前記磁性ロッドの後端が前記磁性溝の後端壁を貫通し、且つ外部空間に位置しており、前記二つの磁性ロッドの後端には共にプラグが固定的に連結され、前記プラグと前記駆動モータとが電線により連通しており、前記二つの磁性ロッドの間にはコンセントが設置され、前記コンセントと前記支持板の後端面とが固定的に連結され、前記テーブルの中には下端壁が外部空間に連通している移動溝が設置され、前記移動溝の左端壁には移動ばねが固定的に連結され、前記移動ばねの右端には前記移動溝とスライドできるように連結される移動ブロックが固定的に連結され、前記移動ブロックの下端が前記移動溝の下端壁を貫通し、且つ外部空間に位置しており、前記外部空間のうち移動ブロックの前端面には移動軸が回転できるように連結され、前記移動軸には前記扇状歯車と噛合する移動歯車が固定的に連結され、前記移動歯車の前側には前記移動軸と固定的に連結される移動プーリーが設置され、
前記布交換機構は中空歯車を含み、前記移動溝の左端壁の中には下端壁が外部空間に連通している動き溝が設置され、前記動き溝の中には動きブロックがスライドできるように連結され、前記動きブロックの下端が前記動き溝の下端壁を貫通し、且つ外部空間の中に位置しており、前記外部空間のうち動きブロックの前端面には二つの方形ブロックが上下対称的に固定的に連結され、前記二つの方形ブロックの間には調節軸が回転できるように連結され、前記調節軸には斜めロッドが固定的に連結され、前記移動ブロックの左端面には二つの薄い板が上下に対称的に固定的に連結され、前記二つの薄い板の間には回転軸が回転できるように連結され、前記回転軸と前記斜めロッドの右端とが固定的に連結され、前記駆動モータの左側には前記支持板の後端面と回転できるように連結される制限軸が設置され、前記制限軸には中空歯車が回転できるように連結され、前記中空歯車の後側には前記制限軸と固定的に連結される両方向歯車が設置され、前記中空歯車の中には環状溝が設置され、前記環状溝の上端壁の中には下端壁が前記環状溝と連通している制限溝が設置され、前記環状溝のうち制限軸の上端面の中には上端壁が前記環状溝と連通している伸縮溝が設置され、前記伸縮溝の下端壁には伸縮ばねが固定的に連結され、前記伸縮ばねの上端には前記伸縮溝とスライドできるように連結される三角ブロックが固定的に連結され、前記三角ブロックの上端が前記伸縮溝の上端壁と前記制限溝の下端壁を貫通し、且つ前記制限溝の中に位置しており、前記制限軸の後端面の中には後端壁が外部空間と連通している方形溝が設置され、前記方形溝の左右端壁の中には前記方形溝の端壁に近接しており、且つ前記方形溝を連通している圧力溝が対称的に設置され、前記右側の圧力溝の前端壁には圧力ばねが固定的に連結され、前記圧力ばねの後端には前記圧力溝とスライドできるように連結される圧力ブロックが固定的に連結され、前記圧力ブロックの左端が前記圧力溝の左端壁を貫通し、且つ前記方形溝の中に位置しており、前記二つの圧力ブロックの間には共に引き紐ブロックが固定的に連結され、前記引き紐ブロックの前端と前記三角ブロックの下端とがロープにより固定的に連結され、前記テーブルの下端面には定位板が固定的に連結され、前記定位板の前端面には送り軸が回転できるように連結され、前記送り軸には送り輪が固定的に連結され、前記送り輪の前側には前記送り軸と固定的に連結される送り歯車が設置され、前記送り歯車と前記中空歯車とが噛合しており、前記テーブルの下端面の右側には伝送板が固定的に連結され、前記伝送板の前端面には伝送軸が回転できるように連結され、前記伝送軸には伝送輪が固定的に連結され、前記テーブルにはテーブルクロスが設置され、前記テーブルクロスが前記伝送輪により前記送り輪と伝動され、
前記メンテナンス機構はメンテナンス輪を含み、前記テーブルの下端面の中心には中空ブロックが固定的に連結され、前記中空ブロックの中には左右端壁が外部空間と連通している収集チャンバが設置され、前記中空ブロックの下端面にはテーブル台座が固定的に連結され、前記収集チャンバの後端壁にはプーリー軸が回転できるように連結され、前記プーリー軸には出力プーリーが固定的に連結され、前記出力プーリーと前記移動プーリーとが水平ベルトにより摩擦するように伝動され、前記出力プーリーの前側には前記プーリー軸と固定的に連結されるメンテナンス輪が設置され、前記収集チャンバの上端壁の中には下端壁が前記収集チャンバと連通している昇降溝が設置され、前記昇降溝の上端壁には昇降ばねが固定的に連結され、前記昇降ばねの下端には前記昇降溝とスライドできるように連結される昇降ロッドが固定的に連結され、前記昇降ロッドの下端が前記昇降溝の下端壁を貫通しており、且つ前記収集チャンバの中に位置しており、前記昇降ロッドの下端には横ロッドが固定的に連結され、前記横ロッドの左側には前記収集チャンバの後端壁と回転できるように連結される動力軸が設置され、前記動力軸には右端が前記横ロッドの左端と噛合する昇降歯車が固定的に連結され、前記昇降歯車の後側には前記動力軸と固定的に連結される昇降プーリーが設置され、前記磁性ロッドの右側には前記支持板の後端面と回転できるように連結される復帰軸が設置され、前記復帰軸にはカムが固定的に連結され、前記復帰軸の後端には復帰プーリーが固定的に連結され、前記復帰プーリーと前記昇降プーリーとが斜めベルトにより摩擦するように伝動されることを特徴とする自動的にメンテナンスを行えるテーブルクロス。
【手続補正２】
【補正対象書類名】明細書
【補正対象項目名】全文
【補正方法】変更
【補正の内容】
【発明の詳細な説明】
【技術分野】
【０００１】
本発明はテーブルクロス分野を取り上げて、具体的には自動的にメンテナンスを行えるテーブルクロスである。
【背景技術】
【０００２】
テーブルクロスはテーブルの表面を保護し、汚れたり傷つけたりすることを防止するテーブル表面保護ツールであり、またテーブルクロスは飾りの作用も持ち、既存のテーブルクロスのメンテナンスは人工でメンテナンスする必要があり、交換も洗浄も不便である。
【先行技術文献】
【特許文献】
【０００３】
【特許文献１】中国特許出願公開第１０７００７０９５号明細書
【発明の概要】
【発明が解決しようとする課題】
【０００４】
本発明の目的は自動的にメンテナンスを行えるテーブルクロスを提供し、それは上記の現在の技術中の問題を解決できる。
【課題を解決するための手段】
【０００５】
上記の課題を解決するため、本発明は以下の技術プランを採用する：本発明の自動的にメンテナンスを行えるテーブルクロスは、テーブルを含み、収集チャンバが前記テーブルを左右に貫通しており、前記収集チャンバの中には駆動機構が設置され、前記駆動機構は駆動モータと、プラグ及びコンセントを含み、前記プラグが前記コンセントに挿入されるときに前記駆動モータを駆動し作動させることができ、それにより装置全体を作動連動させ、前記駆動機構はまた扇状歯車と、移動歯車及び移動ブロックを含み、前記駆動機構の右側にはメンテナンス機構が設置され、前記メンテナンス機構と前記駆動機構とが水平ベルトにより摩擦するように伝動され、前記メンテナンス機構に含まれた機械部品が斜めベルトにより摩擦するように伝動され、前記メンテナンス機構はカムを含み、前記カムが回転し前記プラグを前記コンセントから押し出すことができ、前記駆動機構の左側には布交換機構が設置され、前記布交換機構は中空歯車と、三角ブロック及び制限溝を含み、前記扇状歯車が前記中空歯車と噛合でき、前記三角ブロックが前記制限溝から離脱するとき前記移動歯車を連動させて右に運動させて前記扇状歯車の噛合から離脱させ、前記布交換機構はまた送り輪と、伝送輪及びテーブルクロスを含み、前記送り輪と前記伝送輪との回転により前記テーブルクロスを運動連動させることができ、前記三角ブロックが前記制限溝の中に位置するとき、前記扇状歯車が前記送り輪を連動させ間欠的に回転させることができる。
【０００６】
優選的には、前記駆動機構は扇状歯車を含み、前記テーブルの下端面には支持板が固定的に連結され、前記支持板の後端面には駆動モータが固定的に連結され、前記駆動モータの後端面には駆動軸が回転できるように連結され、前記駆動軸には扇状歯車が固定的に連結され、前記支持板の後端面の中には二つの磁性溝が左右に対称的に設置され、前記磁性溝の前端壁には電気磁石が固定的に連結され、前記磁性溝の中には鉄ブロックがスライドできるように連結され、前記鉄ブロックの後端面には磁性ロッドが固定的に連結され、前記磁性ロッドの後端が前記磁性溝の後端壁を貫通し、且つ外部空間に位置しており、前記二つの磁性ロッドの後端には共にプラグが固定的に連結され、前記プラグと前記駆動モータとが電線により連通しており、前記二つの磁性ロッドの間にはコンセントが設置され、前記コンセントと前記支持板の後端面とが固定的に連結され、前記テーブルの中には下端壁が外部空間に連通している移動溝が設置され、前記移動溝の左端壁には移動ばねが固定的に連結され、前記移動ばねの右端には前記移動溝とスライドできるように連結される移動ブロックが固定的に連結され、前記移動ブロックの下端が前記移動溝の下端壁を貫通し、且つ外部空間に位置しており、前記外部空間のうち移動ブロックの前端面には移動軸が回転できるように連結され、前記移動軸には前記扇状歯車と噛合する移動歯車が固定的に連結され、前記移動歯車の前側には前記移動軸と固定的に連結される移動プーリーが設置される。
【０００７】
優選的には、前記布交換機構は中空歯車を含み、前記移動溝の左端壁の中には下端壁が外部空間に連通している動き溝が設置され、前記動き溝の中には動きブロックがスライドできるように連結され、前記動きブロックの下端が前記動き溝の下端壁を貫通し、且つ外部空間の中に位置しており、前記外部空間のうち動きブロックの前端面には二つの方形ブロックが上下対称的に固定的に連結され、前記二つの方形ブロックの間には調節軸が回転できるように連結され、前記調節軸には斜めロッドが固定的に連結され、前記移動ブロックの左端面には二つの薄い板が上下に対称的に固定的に連結され、前記二つの薄い板の間には回転軸が回転できるように連結され、前記回転軸と前記斜めロッドの右端とが固定的に連結され、前記駆動モータの左側には前記支持板の後端面と回転できるように連結される制限軸が設置され、前記制限軸には中空歯車が回転できるように連結され、前記中空歯車の後側には前記制限軸と固定的に連結される両方向歯車が設置され、前記中空歯車の中には環状溝が設置され、前記環状溝の上端壁の中には下端壁が前記環状溝と連通している制限溝が設置され、前記環状溝のうち制限軸の上端面の中には上端壁が前記環状溝と連通している伸縮溝が設置され、前記伸縮溝の下端壁には伸縮ばねが固定的に連結され、前記伸縮ばねの上端には前記伸縮溝とスライドできるように連結される三角ブロックが固定的に連結され、前記三角ブロックの上端が前記伸縮溝の上端壁と前記制限溝の下端壁を貫通し、且つ前記制限溝の中に位置しており、前記制限軸の後端面の中には後端壁が外部空間と連通している方形溝が設置され、前記方形溝の左右端壁の中には前記方形溝の端壁に近接しており、且つ前記方形溝を連通している圧力溝が対称的に設置され、前記右側の圧力溝の前端壁には圧力ばねが固定的に連結され、前記圧力ばねの後端には前記圧力溝とスライドできるように連結される圧力ブロックが固定的に連結され、前記圧力ブロックの左端が前記圧力溝の左端壁を貫通し、且つ前記方形溝の中に位置しており、前記二つの圧力ブロックの間には共に引き紐ブロックが固定的に連結され、前記引き紐ブロックの前端と前記三角ブロックの下端とがロープにより固定的に連結され、前記テーブルの下端面には定位板が固定的に連結され、前記定位板の前端面には送り軸が回転できるように連結され、前記送り軸には送り輪が固定的に連結され、前記送り輪の前側には前記送り軸と固定的に連結される送り歯車が設置され、前記送り歯車と前記中空歯車とが噛合しており、前記テーブルの下端面の右側には伝送板が固定的に連結され、前記伝送板の前端面には伝送軸が回転できるように連結され、前記伝送軸には伝送輪が固定的に連結され、前記テーブルにはテーブルクロスが設置され、前記テーブルクロスが前記伝送輪により前記送り輪と伝動される。
【０００８】
優選的には、前記メンテナンス機構はメンテナンス輪を含み、前記テーブルの下端面の中心には中空ブロックが固定的に連結され、前記中空ブロックの中には左右端壁が外部空間と連通している収集チャンバが設置され、前記中空ブロックの下端面にはテーブル台座が固定的に連結され、前記収集チャンバの後端壁にはプーリー軸が回転できるように連結され、前記プーリー軸には出力プーリーが固定的に連結され、前記出力プーリーと前記移動プーリーとが水平ベルトにより摩擦するように伝動され、前記出力プーリーの前側には前記プーリー軸と固定的に連結されるメンテナンス輪が設置され、前記収集チャンバの上端壁の中には下端壁が前記収集チャンバと連通している昇降溝が設置され、前記昇降溝の上端壁には昇降ばねが固定的に連結され、前記昇降ばねの下端には前記昇降溝とスライドできるように連結される昇降ロッドが固定的に連結され、前記昇降ロッドの下端が前記昇降溝の下端壁を貫通しており、且つ前記収集チャンバの中に位置しており、前記昇降ロッドの下端には横ロッドが固定的に連結され、前記横ロッドの左側には前記収集チャンバの後端壁と回転できるように連結される動力軸が設置され、前記動力軸には右端が前記横ロッドの左端と噛合する昇降歯車が固定的に連結され、前記昇降歯車の後側には前記動力軸と固定的に連結される昇降プーリーが設置され、前記磁性ロッドの右側には前記支持板の後端面と回転できるように連結される復帰軸が設置され、前記復帰軸にはカムが固定的に連結され、前記復帰軸の後端には復帰プーリーが固定的に連結され、前記復帰プーリーと前記昇降プーリーとが斜めベルトにより摩擦するように伝動される。
【発明の効果】
【０００９】
本発明の有益的な効果は：本発明装置は環状ベルト式のテーブルクロスを設計し、両面使用できるテーブルクロスを持ち、ユーザーが交換しようとするとき自動的に汚れた面のテーブルクロスをきれいな面に交換でき、快速にテーブルクロスの交換を実現でき、そのあとの作業の展開に有利であり、また汚れた面を自動的に洗浄してメンテナンスし、次回の使用が便利になり、テーブルの表面に物がある場合に装置のスイッチを押してもテーブルを交換できず、誤操作でテーブル表面にあるものを壊すことを避け、装置は一つの動力源しか使用しなく、自動化程度が高く、使用が簡単で便利である。
【図面の簡単な説明】
【００１０】
下記に図１〜３をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１１】
【図１】図１は本発明の自動的にメンテナンスを行えるテーブルクロスの全体全断面の正面構造概略図
【図２】図２は図１における駆動軸と駆動軸の左方との上面視断面構造概略図
【図３】図３は図１における移動ブロックと移動ブロックの上方との正面視断面構造概略図
【発明を実施するための形態】
【００１２】
本発明書に開示した全ての特徴、或いは開示した全ての方法、過程中のステップは、互いに排斥する特徴或いはステップ以外に、いかなる方式で組み合わせることができる。
【００１３】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１４】
図１〜３を参考し、本発明の自動的にメンテナンスを行えるテーブルクロスは、テーブル１１を含み、収集チャンバ３３が前記テーブル１１を左右に貫通しており、前記収集チャンバ３３の中には駆動機構８０が設置され、前記駆動機構８０は駆動モータ５６と、プラグ６４及びコンセント６８を含み、前記プラグ６４が前記コンセント６８に挿入されるときに前記駆動モータ５６を駆動し作動させることができ、それにより装置全体を作動連動させ、前記駆動機構８０はまた扇状歯車４２と、移動歯車４１及び移動ブロック２１を含み、前記駆動機構８０の右側にはメンテナンス機構８２が設置され、前記メンテナンス機構８２と前記駆動機構８０とが水平ベルト２２により摩擦するように伝動され、前記メンテナンス機構８２に含まれた機械部品が斜めベルト２３により摩擦するように伝動され、前記メンテナンス機構８２はカム６６を含み、前記カム６６が回転し前記プラグ６４を前記コンセント６８から押し出すことができ、前記駆動機構８０の左側には布交換機構８１が設置され、前記布交換機構８１は中空歯車４５と、三角ブロック５３及び制限溝５４を含み、前記扇状歯車４２が前記中空歯車４５と噛合でき、前記三角ブロック５３が前記制限溝５４から離脱するとき前記移動歯車４１を連動させて右に運動させて前記扇状歯車４２の噛合から離脱させ、前記布交換機構８１はまた送り輪４９と、伝送輪３０及びテーブルクロス１０を含み、前記送り輪４９と前記伝送輪３０との回転により前記テーブルクロス１０を運動連動させることができ、前記三角ブロック５３が前記制限溝５４の中に位置するとき、前記扇状歯車４２が前記送り輪４９を連動させ間欠的に回転させることができる。
【００１５】
有益的には、前記駆動機構８０は扇状歯車４２を含み、前記テーブル１１の下端面には支持板６９が固定的に連結され、前記支持板６９の後端面には駆動モータ５６が固定的に連結され、前記駆動モータ５６の後端面には駆動軸１８が回転できるように連結され、前記駆動軸１８には扇状歯車４２が固定的に連結され、前記支持板６９の後端面の中には二つの磁性溝７３が左右に対称的に設置され、前記磁性溝７３の前端壁には電気磁石７１が固定的に連結され、前記磁性溝７３の中には鉄ブロック７０がスライドできるように連結され、前記鉄ブロック７０の後端面には磁性ロッド６７が固定的に連結され、前記磁性ロッド６７の後端が前記磁性溝７３の後端壁を貫通し、且つ外部空間に位置しており、前記二つの磁性ロッド６７の後端には共にプラグ６４が固定的に連結され、前記プラグ６４と前記駆動モータ５６とが電線６３により連通しており、前記二つの磁性ロッド６７の間にはコンセント６８が設置され、前記コンセント６８と前記支持板６９の後端面とが固定的に連結され、前記テーブル１１の中には下端壁が外部空間に連通している移動溝７５が設置され、前記移動溝７５の左端壁には移動ばね７４が固定的に連結され、前記移動ばね７４の右端には前記移動溝７５とスライドできるように連結される移動ブロック２１が固定的に連結され、前記移動ブロック２１の下端が前記移動溝７５の下端壁を貫通し、且つ外部空間に位置しており、前記外部空間のうち移動ブロック２１の前端面には移動軸３９が回転できるように連結され、前記移動軸３９には前記扇状歯車４２と噛合する移動歯車４１が固定的に連結され、前記移動歯車４１の前側には前記移動軸３９と固定的に連結される移動プーリー４０が設置される。
【００１６】
有益的には、前記布交換機構８１は中空歯車４５を含み、前記移動溝７５の左端壁の中には下端壁が外部空間に連通している動き溝１３が設置され、前記動き溝１３の中には動きブロック１２がスライドできるように連結され、前記動きブロック１２の下端が前記動き溝１３の下端壁を貫通し、且つ外部空間の中に位置しており、前記外部空間のうち動きブロック１２の前端面には二つの方形ブロック１６が上下対称的に固定的に連結され、前記二つの方形ブロック１６の間には調節軸１４が回転できるように連結され、前記調節軸１４には斜めロッド１７が固定的に連結され、前記移動ブロック２１の左端面には二つの薄い板２０が上下に対称的に固定的に連結され、前記二つの薄い板２０の間には回転軸１９が回転できるように連結され、前記回転軸１９と前記斜めロッド１７の右端とが固定的に連結され、前記駆動モータ５６の左側には前記支持板６９の後端面と回転できるように連結される制限軸４８が設置され、前記制限軸４８には中空歯車４５が回転できるように連結され、前記中空歯車４５の後側には前記制限軸４８と固定的に連結される両方向歯車７２が設置され、前記中空歯車４５の中には環状溝４６が設置され、前記環状溝４６の上端壁の中には下端壁が前記環状溝４６と連通している制限溝５４が設置され、前記環状溝４６のうち制限軸４８の上端面の中には上端壁が前記環状溝４６と連通している伸縮溝４３が設置され、前記伸縮溝４３の下端壁には伸縮ばね４７が固定的に連結され、前記伸縮ばね４７の上端には前記伸縮溝４３とスライドできるように連結される三角ブロック５３が固定的に連結され、前記三角ブロック５３の上端が前記伸縮溝４３の上端壁と前記制限溝５４の下端壁を貫通し、且つ前記制限溝５４の中に位置しており、前記制限軸４８の後端面の中には後端壁が外部空間と連通している方形溝５８が設置され、前記方形溝５８の左右端壁の中には前記方形溝５８の端壁に近接しており、且つ前記方形溝５８を連通している圧力溝６０が対称的に設置され、前記右側の圧力溝６０の前端壁には圧力ばね６２が固定的に連結され、前記圧力ばね６２の後端には前記圧力溝６０とスライドできるように連結される圧力ブロック６１が固定的に連結され、前記圧力ブロック６１の左端が前記圧力溝６０の左端壁を貫通し、且つ前記方形溝５８の中に位置しており、前記二つの圧力ブロック６１の間には共に引き紐ブロック５７が固定的に連結され、前記引き紐ブロック５７の前端と前記三角ブロック５３の下端とがロープ５１により固定的に連結され、前記テーブル１１の下端面には定位板５５が固定的に連結され、前記定位板５５の前端面には送り軸５２が回転できるように連結され、前記送り軸５２には送り輪４９が固定的に連結され、前記送り輪４９の前側には前記送り軸５２と固定的に連結される送り歯車５０が設置され、前記送り歯車５０と前記中空歯車４５とが噛合しており、前記テーブル１１の下端面の右側には伝送板３１が固定的に連結され、前記伝送板３１の前端面には伝送軸３２が回転できるように連結され、前記伝送軸３２には伝送輪３０が固定的に連結され、前記テーブル１１にはテーブルクロス１０が設置され、前記テーブルクロス１０が前記伝送輪３０により前記送り輪４９と伝動される。
【００１７】
有益的には、前記メンテナンス機構８２はメンテナンス輪３８を含み、前記テーブル１１の下端面の中心には中空ブロック３４が固定的に連結され、前記中空ブロック３４の中には左右端壁が外部空間と連通している収集チャンバ３３が設置され、前記中空ブロック３４の下端面にはテーブル台座３６が固定的に連結され、前記収集チャンバ３３の後端壁にはプーリー軸３７が回転できるように連結され、前記プーリー軸３７には出力プーリー３５が固定的に連結され、前記出力プーリー３５と前記移動プーリー４０とが水平ベルト２２により摩擦するように伝動され、前記出力プーリー３５の前側には前記プーリー軸３７と固定的に連結されるメンテナンス輪３８が設置され、前記収集チャンバ３３の上端壁の中には下端壁が前記収集チャンバ３３と連通している昇降溝２６が設置され、前記昇降溝２６の上端壁には昇降ばね２７が固定的に連結され、前記昇降ばね２７の下端には前記昇降溝２６とスライドできるように連結される昇降ロッド２８が固定的に連結され、前記昇降ロッド２８の下端が前記昇降溝２６の下端壁を貫通しており、且つ前記収集チャンバ３３の中に位置しており、前記昇降ロッド２８の下端には横ロッド２９が固定的に連結され、前記横ロッド２９の左側には前記収集チャンバ３３の後端壁と回転できるように連結される動力軸２４が設置され、前記動力軸２４には右端が前記横ロッド２９の左端と噛合する昇降歯車２５が固定的に連結され、前記昇降歯車２５の後側には前記動力軸２４と固定的に連結される昇降プーリー１５が設置され、前記磁性ロッド６７の右側には前記支持板６９の後端面と回転できるように連結される復帰軸４４が設置され、前記復帰軸４４にはカム６６が固定的に連結され、前記復帰軸４４の後端には復帰プーリー６５が固定的に連結され、前記復帰プーリー６５と前記昇降プーリー１５とが斜めベルト２３により摩擦するように伝動される。
【００１８】
下記に、図１〜３と上記記述した本出願の自動的にメンテナンスを行えるテーブルクロスの具体的な構成を参考し、本出願の自動的にメンテナンスを行えるテーブルクロスの使用方法を詳しく紹介する：
【００１９】
使用するとき、前記電気磁石７１が通電され磁性を生成し、前記鉄ブロック７０を吸引し前に運動させ、それにより前記磁性ロッド６７を前に運動連動させ、前記磁性ロッド６７が前記プラグ６４を前に運動連動させ、前記プラグ６４を前記コンセント６８に挿入し、前記電線６３の伝導により、前記駆動モータ５６を通電させ始動し、それにより前記駆動軸１８を回転連動させ、前記駆動軸１８が前記扇状歯車４２を回転連動させ、前記扇状歯車４２と前記両方向歯車７２との噛合を通して、前記両方向歯車７２を回転連動させ、それにより前記制限軸４８を回転連動させ、前記制限軸４８が前記三角ブロック５３を回転連動させ、前記テーブルクロス１０にものがある場合、前記テーブルクロス１０が運動できなく、前記三角ブロック５３が前記制限溝５４の中から離脱し、前記伸縮ばね４７が圧縮され、前記ロープ５１が放され、前記圧力ばね６２が後に復帰し、前記引き紐ブロック５７をプッシュし後に運動させ、それにより前記動きブロック１２を後ろに運動連動させ、前記動きブロック１２が前記斜めロッド１７を揺動連動させ、それにより前記移動ブロック２１をプッシュし右に運動させ、前記移動ブロック２１が前記移動歯車４１を右に運動連動させて前記扇状歯車４２の噛合から離脱させ、前記テーブルクロス１０にものがない場合、前記三角ブロック５３と前記制限溝５４の固定により、前記中空歯車４５を回転連動させ、前記中空歯車４５と前記送り歯車５０との噛合により、前記送り輪４９を回転連動させ、それにより前記テーブルクロス１０を運動連動させ、前記扇状歯車４２が前記移動歯車４１と噛合するまで回転するとき、前記移動歯車４１を回転連動させ、それにより前記移動軸３９を回転連動させ、前記移動軸が前記移動プーリー４０を回転連動させ、前記水平ベルト２２の摩擦伝動により、前記出力プーリー３５を回転連動させ、前記出力プーリー３５が前記プーリー軸３７を回転連動させ、それにより前記メンテナンス輪３８を回転連動させ、前記メンテナンス輪３８が回転し前記テーブルクロス１０の表面にある粉塵と固体粒子を除去し、前記メンテナンス輪３８が回転し前記横軸２９をプッシュし上昇させ、前記横軸２９と前記昇降歯車２５との噛合により、前記昇降歯車２５を回転連動させ、前記昇降歯車２５が前記動力軸２４を回転連動させ、それにより前記昇降プーリー１５を回転連動させ、前記斜めベルト２３の摩擦伝動により、前記復帰プーリー６５を回転連動させ、それにより前記復帰軸４４を回転連動させ、前記復帰軸４４が前記カム６６を回転連動させ、前記プラグ６４を前記コンセント６８から押し出し、前記駆動モータ５６の電気を切断し、それにより一つの面のテーブルクロスの交換を完成し、使用されたテーブルクロスの面を洗浄する。
【００２０】
本発明の有益的な効果は：本発明装置は環状ベルト式のテーブルクロスを設計し、両面使用できるテーブルクロスを持ち、ユーザーが交換しようとするとき自動的に汚れた面のテーブルクロスをきれいな面に交換でき、快速にテーブルクロスの交換を実現でき、そのあとの作業の展開に有利であり、また汚れた面を自動的に洗浄してメンテナンスし、次回の使用が便利になり、テーブルの表面に物がある場合に装置のスイッチを押してもテーブルを交換できず、誤操作でテーブル表面にあるものを壊すことを避け、装置は一つの動力源しか使用しなく、自動化程度が高く、使用が簡単で便利である。
【００２１】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。